(57)【要約】【課題】  ガラス扉を回動自在に支持する金属ピンがワイヤ等を用いて外部から操作されることを防止する。【解決手段】  ガラス扉を構成する扉本体２８の上端隅には、金属ピン３１を保持するピン保持金具３３が固着される。金属ピン３１は、軸受け穴２５ａに差し込まれる主軸部３１ａと、主軸部３１ａに対して折り曲げられたレバー部３１ｂとを有する。レバー部３１ｂは、扉本体２８を貫通して扉本体２８の背面側から操作される。ピン保持金具３３の下にはピン収容部３４が設けられている。レバー部３１ｂを第１開口部４３ａの形状に沿って上方向にスライド操作し、さらに主軸部３１ａを中心に金属ピン３１を回動する操作を行うと、レバー部３１ｂがピン収容部３４に収容される。レバー部３１は、扉本体２８の背面から突出しないので、隙間等から挿入されるワイヤをレバー部３１ｂの先端に引っ掛けることができず、金属ピン３１を外部から操作することができない。【選択図】        図４
2005152445.tif 000002
【特許請求の範囲】
【請求項１】
遊技球の打ち出される遊技領域が設けられた遊技機本体に対し、前記遊技領域を視認可能にする窓部を備えた可動扉を回動自在に支持する弾球遊技機のヒンジ機構において、
前記遊技機本体又は前記可動扉の何れか一方に軸受け穴が設けられ、その他方には前記軸受け穴に嵌合するヒンジ軸と前記ヒンジ軸を保持する軸保持部とが設けられており、
前記ヒンジ軸は、前記軸受け穴に向かって突出する突出位置で回動可能に保持され、かつ前記軸受け穴から退避する退避位置へと移動自在となる主軸部と、前記主軸部を前記突出位置又は退避位置に移動する操作がなされるレバー部とからなり、
前記他方には、前記主軸部が前記突出位置に保持されているときに、前記主軸部を回動する操作により前記レバー部を収容する開口を有する軸収容部が設けられていることを特徴とする弾球遊技機のヒンジ機構。
【請求項２】
前記軸収容部は前記軸保持部が設けられた面に対して突出して形成されており、前記レバー部は前記軸保持部が設けられた面からその反対側の面に向かって貫通して前記反対側の面から操作されることにより前記軸収容部に収容されることを特徴とする請求項１記載の弾球遊技機のヒンジ機構。
【請求項３】
前記開口の少なくとも一部を塞ぎ前記レバー部をロックするロック位置と、前記レバー部のロックを解除する解除位置との間で変位する可動部材を備えていることを特徴とする請求項２記載の弾球遊技機のヒンジ機構。
【発明の詳細な説明】
【技術分野】
【０００１】
本発明は、遊技領域を視認可能にする窓部を備えた可動扉を遊技機本体に回動自在に支持する弾球遊技機のヒンジ機構に関する。
【背景技術】
【０００２】
遊技場に設置される弾球遊技機は、例えば、遊技球の打ち出される遊技領域が設けられた遊技盤と、遊技盤が組み込まれる筐体からなる遊技機本体と、遊技機本体の前面を覆うガラス扉とから構成されている。ガラス扉は、遊技領域を外部に露呈させるガラス窓を有し、遊技者は、ガラス窓を通して遊技領域を落下する遊技球の挙動を観察することができる。ガラス扉は、遊技機本体に対して回動自在に支持され、施錠装置によって閉じた状態でロックされる。遊技機内部で発生した故障の修理等を行うときには、施錠を解除してガラス扉を開放することができる。
【０００３】
弾球遊技機では、新規製品の組み立て又は遊技場から撤去された遊技機を解体することに伴って、ガラス扉の着脱作業が容易に行えるようにそのヒンジ機構が工夫されている。このヒンジ機構には、例えばガラス扉にヒンジ軸（ピボット）として金属製のピンがスライド可能に設けられている。この金属ピンは、Ｌ字状に曲げられて主軸部とレバー部とに分けられており、ガラス扉を取り外す際に作業者等がガラス扉の背面に露呈されるレバー部を操作することで主軸部を移動させ、筐体に設けられた軸受け穴から主軸部を引き抜くことができるようにしている。このヒンジ機構を備えた弾球遊技機は、筐体とガラス扉との間に生じる隙間を小さくでき、この隙間から遊技領域にピアノ線をはじめとするワイヤ等を挿入して遊技球を誘導する等の不正行為を防止できる利点がある。
【発明の開示】
【発明が解決しようとする課題】
【０００４】
しかしながら、ワイヤ等が遊技領域に届きにくい弾球遊技機に対しては、遊技機本体とガラス扉との隙間から先端に輪を作ったワイヤを挿入し、これを金属ピンのレバー部に引っ掛けて金属ピンを外部から操作し、金属ピンを移動させてガラス扉を直接取り外すという悪質な不正行為が行われている。従来のヒンジ機構では、ワイヤの扱い方次第では、遊技領域よりもワイヤを挿入する隙間と近い位置にある金属ピンは比較的容易に操作されてしまうという問題がある。
【０００５】
本発明は、上記問題点を考慮してなされたもので、ワイヤ等の外部から差し込まれる道具を用いて金属ピンが操作されることをなくし、ガラス扉を取り外す不正行為を防止できる弾球遊技機のヒンジ機構を提供することを目的とする。
【課題を解決するための手段】
【０００６】
上記目的を達成するために、本発明は、遊技球の打ち出される遊技領域が設けられた遊技機本体に対し、前記遊技領域を視認可能にする窓部を備えた可動扉を回動自在に支持する弾球遊技機のヒンジ機構であって、前記遊技機本体又は前記可動扉の何れか一方に軸受け穴が設けられ、その他方には前記軸受け穴に嵌合するヒンジ軸と前記ヒンジ軸を保持する軸保持部とが設けられており、前記ヒンジ軸は、前記軸受け穴に向かって突出する突出位置で回動可能に保持され、かつ前記軸受け穴から退避する退避位置へと移動自在となる主軸部と、前記主軸部を前記突出位置又は退避位置に移動する操作がなされるレバー部とからなり、前記他方には、前記主軸部が前記突出位置に保持されているときに、前記主軸部を回動する操作がなされることにより前記レバー部を収容する開口を有する軸収容部が設けられていることを特徴としている。
【０００７】
また、前記軸収容部は前記軸保持部が設けられた面に対して突出して形成されており、前記レバー部は前記軸保持部が設けられた面からその反対側の面に向かって貫通して前記反対側の面から操作されることにより前記軸収容部に収容されることを特徴とする。
【０００８】
また、前記開口の少なくとも一部を塞ぎ前記レバー部をロックするロック位置と、前記レバー部のロックを解除する解除位置との間で変位する可動部材を備えていることを特徴とする。
【発明の効果】
【０００９】
本発明によれば、ヒンジ軸となる金属ピンを軸受け穴に嵌合させた状態で回動させたときにレバー部を軸収容部に収容させているから、遊技機本体と可動扉の間から先端に輪を作ったワイヤを挿入しても、ワイヤの先端をレバー部に引っ掛けることができなくなり、金属ピンを外部から不正に操作することができず、可動扉を取り外すことによる不正行為を防止することができる。
【００１０】
また、軸収容部を軸保持部が設けられた面に対して突出形成し、レバー部を前記保持部が設けられた面と反対側の面に向かって貫通させることにより、レバー部を軸収容部に収容したときにレバー部が包囲されると共にレバー部は操作される側の面（前記反対側の面）に対して奥まった位置に収容されるので、ワイヤをレバー部の先端に引っ掛けることがさらに困難になり、上記不正行為を防止する効果を高めることができる。
【００１１】
また、前記開口の少なくとも一部を塞ぐことが可能な可動部材を設けることにより、軸収容部の内部にワイヤ等が侵入することを防止し、さらにレバー部の操作を不能にしているから、上記不正行為を確実に防止することができる。
【発明を実施するための最良の形態】
【００１２】
図１において、弾球遊技機１０は、遊技機本体１１とガラス扉（可動扉）１２を備えるように構成されている。遊技機本体１１には、遊技盤１３が着脱自在に組み込まれている。ガラス扉１２は、遊技機本体１１に対して回動自在に取り付けられている。ガラス扉１２は透明板としてガラス板が嵌め込まれたガラス窓１４を有し、遊技者はガラス窓１４を通して遊技盤１３を視認可能である。遊技盤１３には、その前面に遊技者の操作によって遊技球が打ち出される遊技領域が設けられている。遊技盤１３に設けられた遊技領域には、複数の障害釘や風車等の構造物、液晶表示装置１５、始動入賞口１６やアタッカ１７等が設けられている。なお、これらのものはいずれも公知であるので、その詳細については省略する。また、遊技盤１３の背面には、液晶表示装置１５を制御する回路等が設けられた基板やアタッカ１７を駆動するモータやそれらを作動させる制御装置等が組み付けられている。
【００１３】
遊技機本体１１の下部には、受け皿２０とハンドル２１が設けられている。受け皿２０には、遊技に使用する遊技球がセットされ、また、遊技を行って得られた賞球が払い出される。ハンドル２１は、遊技機本体１１の内部に設けられた球発射装置と連結されており、遊技球を打ち出す際に操作される。ハンドル２１を回動すると、回動した角度に応じた強さで遊技球が自動的に打ち出される。
【００１４】
図２において、遊技機本体１１は、遊技盤１３を保持する保持枠２５と、上述した受け皿２０等が設けられた本体基部とに分離自在である。また、遊技盤１３は保持枠２５から分離自在である。このような構造は、例えば遊技球の落下態様を変えるために遊技盤１３を他の遊技盤と交換して弾球遊技機１０の遊技内容を変更する時や、弾球遊技機１０の外観を変更する時に、最小限の部品交換で済むようにするためのものである。
【００１５】
ガラス扉１２は、保持枠２５によって回動自在に支持されている。すなわち、保持枠２５が本体基部に取り付けられることにより、ガラス扉１２が遊技機本体１１に対して回動自在に支持される。ガラス扉１２は閉じられた状態で保持枠２５に固定され、遊技盤１３に外部から触れることができないように施錠される。一方、施錠を解除すると、ガラス扉１２を回動させて開放することができる。
【００１６】
図３において、ガラス扉１２は、扉本体２８と外装部材２９とガラス板３０とからなる。外装部材２９は、扉本体２８をその前面側から囲うように覆う形状を有し、扉本体２８に設けられるスピーカーや発光素子等の電気部品を保護する作用をする。また、ガラス扉１２を装飾して弾球遊技機１０の美観を高め、発光素子を点灯させたときの光に視覚的効果を与える有色の透明部やレンズ部を有している。
【００１７】
ガラス板３０は、扉本体２８にその背面側から取り付けられ、ガラス扉１２が開放される向きと逆向きに回動する。ガラス板３０は、ガラス表面や周囲の縁を清掃するときには容易に取り外せるようになっている。扉本体２８は、中央にガラス板３０が嵌め込まれる開口が設けられた枠体からなる。扉本体２８の前面側部には、その上端隅にヒンジ軸となる金属ピン３１が設けられ、下端隅にはヒンジ穴３２が設けられている。金属ピン３１とヒンジ穴３２はその中心が同一直線上に位置し、金属ピン３１は保持枠２５に形成された軸受け穴２５ａ（図４参照）に差し込まれ、ヒンジ穴３２には保持枠２５に形成されたヒンジ突起（図示なし）が差し込まれる。保持枠２５は、外装部材２９とガラス板３０とが取り付けられた扉本体２８を回動自在に支持し、ガラス扉１２の回動を可能にする。
【００１８】
図４において、金属ピン３１は、扉本体２８の前面に取付けられるピン保持金具（軸保持部）３３によって保持される。金属ピン３１は、略直角に曲げられてＬ字形状をしており、ピン保持金具３３に保持された主軸部３１ａと、主軸部３１ａを変位させるための操作がなされるレバー部３１ｂとを有する。扉本体２８には、ピン保持金具３３が取付けられる位置の下に、ピン収容部（軸収容部）３４が設けられている。
【００１９】
ピン収容部３４は、ピン保持金具３３が取付けられる面に対して突出して形成されており、その内部には、金属ピン３１のレバー部３１ｂが収納される。主軸部３１ａにはバネ部材３５が取り付けられており、主軸部３１ａは常時上方に付勢されている。ピン収容部３４は、金属ピン３１が下方に移動することを規制する下面壁３４ａと、レバー部３１ｂの回動を規制して扉本体２８の前方に飛び出すことを防ぐ正面壁３４ｂと、バネ部材３１ｃの付勢によるレバー部３１ｂの上方向の移動を規制する上面壁３４ｃとを有する。レバー部３１ｂは、その上方及び下方と前方への動きがピン収容部３４により阻止され、扉本体２８の背面側に向かって回動させる操作以外の操作ができなくなる。
【００２０】
図５において、ピン保持金具３３は、例えば、金属製の板材に打ち抜き加工と曲げ加工を施すことによって形成される。ピン保持金具３３は、略長方形をした平板部３３ａと、対向する互いの端縁が平板部３３ａの前面側に向けて折り曲げられた一対の折り曲げ片３３ｂ，３３ｃと、平板部３３ａの他の端縁から突出形成された金具押さえ３３ｄとからなる。平板部３３ａには、ビス３６が取付けられるビス穴３７と、扉本体２８に形成された位置決め突起３８に嵌合する位置決め穴３９が設けられている。折り曲げ片３３ｂ，３３ｃには、金属ピン３１の主軸部３１ａが貫通するようにその中心が同一直線上にある保持穴４０がそれぞれ形成されている。金具押さえ３３ｄは、その根元側の部分の２箇所に屈曲加工が施されている。金具押さえ３３ｄの先端側の部分は、根元側の部分よりも幅が広く、平板部３３ａと平行である。
【００２１】
扉本体２８には、金具押さえ３３ｄが差し込まれる凸の字形をした差し込み穴４２と、金属ピン３１を操作するためのＬ字形状をした操作穴（開口部）４３とが設けられている。なお、ピン収容部３４は、操作穴４３に対して扉本体２８の前面側に設けられる。ピン保持金具３３は、金具押さえ３３ｄを差し込み穴４２に差し込み、位置決め突起３７に位置決め穴３８を嵌合させると、平板部３３ａの背面が扉本体２８の前面に当接し、又、金具押さえ３３ｄの先端部分が扉本体２８の背面に当接し、ガラス扉１２がその前後方向に多少傾けられても脱落しないように保持される。
【００２２】
操作穴４３は、縦長の第１開口部４３ａと、第１開口部４３ａに連接する横長の第２開口部４３ｂとからなる。第２開口部４３ｂは、第１開口部４３ａに垂直であり、その水平方向の長さがレバー部３１ｂの長さよりも長い。ピン保持金具３３に保持された金属ピン３１は、レバー部３１ｂが第１開口部４３ａを貫通して扉本体２８の背面側に突出する。レバー部３１ｂを扉本体２８の背面側から操作することにより、第１開口部４３ａの縦長の形状に沿って、金属ピン３１を上下方向にスライドさせることができる。
【００２３】
レバー部３１ｂを第１開口部４３ａの下端まで移動させると、主軸部３１ａの先端面３１ｃは折り曲げ片３３ｃの保持穴４０の位置まで退避する。また、レバー部３１ｂを第１開口部４３ａの上端まで移動させると、主軸部３１ａは、保持枠２５の軸受け穴２５ａに対して確実に差し込まれる位置までスライドして保持片３３ｃの上方に突出する。金属ピン３１のレバー部３１ｂを、第１開口部４３ａの上端の位置まで操作した後、主軸部３１ａを中心として金属ピン３１を回動させる操作を行うと、レバー部３１ｂは第２開口部４３ｂに入り込み、第２開口部４３ｂの横長の形状に沿って第２開口部４３ｂを通過し、扉本体２８の前面側に設けられたピン収容部３４にレバー部３１ｂが収納される。
【００２４】
図６において、扉本体２８の背面には、操作穴４３の下方の位置に可動部材４５が設けられている。可動部材４５は、扉本体２８の背面に垂直な軸４５ａを中心として回動する。可動部材４５には、摘み部４５ｂと摺動部４５ｃとが設けられている。摘み部４５ｂを介して可動部材４５を操作すると、摺動部４５ｃは扉本体２８の背面を摺動し、操作穴４３から離れる位置と、第２開口部４３ｂを扉本体２８の背面側から塞ぐ位置との間で変位する。なお、摺動部４５ｃは、ストッパ４６により第２開口部４３ｂを塞ぐ位置で回動が規制される。
【００２５】
また、金属ピン３１のレバー部３１ｂがピン収容部３４の内部に完全に収納されていない時には、摺動部４５ｃによりレバー部３１ｂが押圧されてピン収容部３４の内部に押し込まれる。レバー部３１ｂは、その先端面３１ｄが第２開口部４３ｂから扉本体２８の背面側に突出しない位置まで回動される。可動部材４５は、摺動部４５ｃが第２開口部４３ｂを塞ぐ位置まで操作されると、ピン収容部３４の内部に収納された金属ピン３１のレバー部３１ｂは、操作することができなくなる。
【００２６】
次に、本発明の作用について説明する。扉本体２８にピン保持金具３３を取付ける際、金属ピン３１の主軸部３１ａを一対の折り曲げ片３３ｂ，３３ｃの各保持穴４０に貫通させ、金属ピン３１のレバー部３１ｂを操作穴４３の第１開口部４３ａに貫通させておく。レバー部３１ｂは、扉本体２８の前面側から背面側に向かって突出し、バネ部材３５により上方に付勢されて第１開口部４３ａの上端に押しつけられるので、金属ピン３１はピン保持金具３３から抜け落ちることなく、一対の折り曲げ片３３ｂ，３３ｃに主軸部３１ａが貫通したまま保持された状態が維持される。
【００２７】
ピン保持金具３３は、ビス３６によって扉本体２８に固着される。ピン保持金具３３が固着された扉本体２８には、外装部材２９とガラス板３０とが取付けられ、ガラス扉１２が組み立てられる。組み立てられたガラス扉１２は、保持枠２５に組み付けられる。保持枠２５にガラス扉１２を組み付けるには、扉本体２８の下端に金属ピン３１の主軸部３１ａと同軸上に設けられたヒンジ穴３２に、保持枠２５のヒンジ突起（図示なし）を貫通させて差し込む。また、金属ピン３１を退避させたままガラス扉１２の上端を保持枠２５に宛がい、金属ピン３１の主軸部３１ａと軸受け穴２５ａの位置を合わせる。下方に押さえていた金属ピン３１のレバー部３１ｂを解放すると、バネ部材３５の力によりレバー部３１ｂは操作穴４３の第１開口部４３ａに沿って上方に移動し、主軸部３１ａが保持枠２５の軸受け穴２５ａ向かって上方向へスライドし、主軸部３１ａが軸受け穴２５ａに嵌合する。
【００２８】
レバー部３１ｂが第１開口部４３ａの上端まで移動した後、主軸部３１ａを中心として金属ピン３１を回動させる操作を行うと、レバー部３１ｂが第１開口部４３ａから抜け出て第２開口部４３ｂ内に進入する。金属ピン３１をそのまま回動させると、レバー部３１ｂの先端面３１ｄが第２開口部４３ｂを抜け出てピン収容部３４の正面壁３４ｂに接触する。レバー部３１ｂは、正面壁３４ｂによって金属ピン３１を回動する操作が規制される位置まで回動することによりピン収容部３４の内部に完全に収納される。
【００２９】
レバー部３１ｂをピン収容部３４に収納した後、可動部材４５の摘み部４５ｂを摘み、軸４５ａを中心に可動部材４５を図中白矢印方向に回動させる操作を行い、摺動部４５ｃを扉本体２８の背面に沿って摺動させる。可動部材４５は、ストッパ４６により回動が規制される位置まで操作されると、摺動部４５ｃにより第２開口部４３ｂがその背面側から塞がれ、金属ピン３１のレバー部３１ｂがピン収容部３４の中に閉じ込められる。従って、金属ピン３１は一切の操作を受け付けないロック状態になり、金属ピン３１の主軸部３１ａを保持枠２５の軸受け穴２５ａから引き抜くことができなくなる。
【００３０】
一方、ガラス扉１２を保持枠２５から取り外す際には、ガラス扉１２を開放してその背面を露呈させ、可動部材４５の摺動部４５ｃを操作穴４３から離れる位置まで図中白矢印とは反対の方向に回動させる操作を行う。可動部材４５が金属ピン３１の操作が可能になる位置まで退避した後、金属ピン３１のレバー部３１ｂをピン収容部３４から摘み出し、レバー部３１ｂをピン収容部３４に収納する時とは逆方向に、金属ピン３１の主軸部３１ａを回動させる。これによって、レバー部３１ｂを第２開口部４３ｂに進入させ、第２開口部４３ｂを抜け出て第１開口部４３ａに位置させるようにする。レバー部３１ｂが第１開口部４３ｂに位置することによって、金属ピン３１をスライド自在とすることができるようになる。レバー部３１ｂを介して金属ピン３１をバネ部材３５の付勢に抗して下方向にスライドさせると、主軸部３１ａが保持枠２５の軸受け穴２５ａから引き抜かれる。扉本体２８の下端隅に設けられたヒンジ穴３２を保持枠２５のヒンジ突起（図示なし）から引き抜くと、軸支状態が解除され、ガラス扉１２を取り外すことができる。
【００３１】
なお、上記実施形態では、ヒンジ軸として略直角に折り曲げられたＬ字形状の金属ピン３１を用いているが、これに限られず、主軸部から略直角に突出したレバー部を有するヒンジ軸であれば本発明を等しく適用でき、ヒンジ軸の具体的な形状や材質等に限定されない。また、上記実施形態では、ピン収容部３４がガラス扉１２を構成する扉本体２８に一体形成されているが、例えば、これを扉本体に爪係合等により取付けられるようにしたり、扉本体に開口のみを形成し、扉本体に取り付けられる外装部材に軸収容部を設けて扉本体の前面側から開口を覆えるようにしてもよい。また、ヒンジ軸のレバー部を軸収容部に収納した後、このレバー部をロックする可動部材の位置を遊技機の外面から確認できるようにするための表示部を設けてもよい。
【図面の簡単な説明】
【００３２】
【図１】弾球遊技機の外観斜視図である。
【図２】保持枠とガラス扉を示す斜視図である。
【図３】ガラス扉の分解斜視図である。
【図４】扉本体の上端隅の構造を示す前面斜視図である。
【図５】ピン保持金具の分解図である。
【図６】扉本体の上端隅の構造を示す背面斜視図である。
【符号の説明】
【００３３】
１０  弾球遊技機
１１  遊技機本体
１２  ガラス扉
１３  遊技盤
１４  ガラス窓
２５  保持枠
２８  扉本体
３１  金属ピン
３１ａ  主軸部
３１ｂ  レバー部
３３  ピン保持金具
３４  ピン収容部
４３  操作穴
４５  可動部材
【図１】
2005152445.tif 000003
【図２】
2005152445.tif 000004
【図３】
2005152445.tif 000005
【図４】
2005152445.tif 000006
【図５】
2005152445.tif 000007
【図６】
2005152445.tif 000008